(57)【要約】【課題】片眼の視力低下を簡易に検出する両眼立体視検査装置および検査方法を提供する。【解決手段】両眼立体視検査装置１は、画像生成装置２と表示装置３を備える。画像生成装置２は、中央演算装置と記憶装置を有する。中央演算装置は、画像生成装置２を制御する。記憶装置は、検査用画像データを記憶する。表示装置３は、検査用画像を表示する画面５を有する。検査用画像は、第１画像および第２画像を有する。第１画像および第２画像は、それぞれ第１形状である犬および犬と間隔をあけて表示される第２形状である犬小屋を含む。犬小屋の少なくとも一部は、画面５において犬の上方に表示される。第１画像は、画面５において、犬が犬小屋より手前に見えるように表示される。第２画像は、画面５において、犬が犬小屋より奥に見えるように表示される。【選択図】図１
2014226180.tif 000002
【特許請求の範囲】
【請求項１】
右眼用画像と左眼用画像との間に視差が与えられた複数の検査用画像を表示する両眼立体視検査装置であって、
画像生成装置と表示装置を備え、
前記画像生成装置は、中央演算装置と記憶装置を有し、
前記中央演算装置は、前記画像生成装置を制御し、
前記記憶装置は、検査用画像データを記憶し、
前記表示装置は、前記検査用画像を表示する画面を有し、
前記検査用画像は、
第１画像および第２画像を有し、
前記第１画像および前記第２画像は、それぞれ第１形状および前記第１形状と間隔をあけて表示される第２形状を含み、
前記第２形状の少なくとも一部は、前記画面において前記第１形状の上方に表示され、
前記第１画像は、前記画面において、前記第１形状が前記第２形状より手前に見えるように表示され、
前記第２画像は、前記画面において、前記第１形状が前記第２形状より奥に見えるように表示される、
両眼立体視検査装置。
【請求項２】
右眼用画像と左眼用画像との間に視差が与えられた複数の画像を画面に表示する両眼立体視検査方法であって、
前記画面に第１画像および第２画像を表示し、
前記第１画像および前記第２画像は、それぞれ第１形状および前記第１形状と間隔をあけて表示される第２形状を含み、
前記第２形状の少なくとも一部は、前記画面において前記第１形状の上方に表示され、
前記第１画像は、前記画面において、前記第１形状が前記第２形状より手前に見えるように表示され、
前記第２画像は、前記画面において、前記第１形状が前記第２形状より奥に見えるように表示される、
両眼立体視検査方法。
【請求項３】
右眼用画像と左眼用画像との間に視差が与えられた複数の画像を画面に表示する両眼立体視検査方法であって、
前記画面に第１画像および第２画像を表示し、
前記第１画像および前記第２画像は、それぞれ第１形状および前記第１形状と間隔をあけて表示される第２形状を含み、
前記第２形状の少なくとも一部は、前記画面において前記第１形状の上方に表示され、
前記第１画像は、前記画面において、前記第１形状が前記第２形状より手前に見えるように表示され、
前記第２画像は、前記画面において、前記第１形状と前記第２形状が並んで見えるように表示される、
両眼立体視検査方法。
【請求項４】
右眼用画像と左眼用画像との間に視差が与えられた複数の画像を画面に表示する両眼立体視検査方法であって、
前記画面に第１画像および第２画像を表示し、
前記第１画像および前記第２画像は、それぞれ第１形状および前記第１形状と間隔をあけて表示される第２形状を含み、
前記第２形状の少なくとも一部は、前記画面において前記第１形状の上方に表示され、
前記第１画像は、前記画面において、前記第１形状が前記第２形状より奥に見えるように表示され、
前記第２画像は、前記画面において、前記第１形状と前記第２形状が並んで見えるように表示される、
両眼立体視検査方法。
【請求項５】
請求項２に記載の両眼立体視検査方法であって、
さらに、第３画像を表示し、
前記第３画像は、前記第１形状および前記第２形状を含み、
前記第３画像は、前記画面において、前記第１形状と前記第２形状が並んで見えるように表示される、
両眼立体視検査方法。
【請求項６】
請求項２から５のいずれか一項に記載の両眼立体視検査方法であって、
さらに、背景画像を表示し、
前記背景画像は、前記第１形状と前記第２形状の間から見えるように表示される、
両眼立体視検査方法。
【発明の詳細な説明】
【技術分野】
【０００１】
本開示は、被験者の両眼を検査する両眼立体視検査装置および検査方法に関する。
【背景技術】
【０００２】
右眼用視標と左眼用視標との間で視差が与えられた立体視標を表示する表示手段と、立体視標の視差量を入力する視差量操作部と、入力された視差量で右眼用視標を被験者の右眼のみから視認可能に表示させ、左眼用視標を被験者の左眼のみから視認可能に表示させる制御装置と、被験者の両眼の眼球距離が接近している状態から被験者の両眼の眼球距離が離間する状態に変化したことが入力される測定用操作部とを備え、立体視の検査時に、制御装置は、立体視標の視差量を増加させ、測定用操作部による入力を検出したときの視差量を立体視が可能な限界視差量とする立体視検査装置が知られている（例えば、特許文献１参照）。
【先行技術文献】
【特許文献】
【０００３】
【特許文献１】特開２０１２−１００７６１号公報
【発明の概要】
【発明が解決しようとする課題】
【０００４】
本開示は、片眼の視力低下を簡易に検出する両眼立体視検査装置および検査方法を提供する。
【課題を解決するための手段】
【０００５】
本開示における検査装置は、右眼用画像と左眼用画像との間に視差が与えられた複数の検査用画像を表示する両眼立体視検査装置であって、画像生成装置と表示装置を備える。画像生成装置は、中央演算装置と記憶装置を有する。中央演算装置は、画像生成装置を制御する。記憶装置は、検査用画像データを記憶する。表示装置は、検査用画像を表示する画面を有する。検査用画像は、第１画像および第２画像を有する。第１画像および第２画像は、それぞれ第１形状および第１形状と間隔をあけて表示される第２形状を含む。第２形状の少なくとも一部は、画面において第１形状の上方に表示される。第１画像は、画面において、第１形状が第２形状より手前に見えるように表示される。第２画像は、画面において、第１形状が第２形状より奥に見えるように表示される。
【０００６】
本開示における第１の検査方法は、右眼用画像と左眼用画像との間に視差が与えられた複数の画像を画面に表示する両眼立体視検査方法であって、画面に第１画像および第２画像を表示する。第１画像および第２画像は、それぞれ第１形状および第１形状と間隔をあけて表示される第２形状を含む。第２形状の少なくとも一部は、画面において第１形状の上方に表示される。第１画像は、画面において、第１形状が第２形状より手前に見えるように表示される。第２画像は、画面において、第１形状が第２形状より奥に見えるように表示される。
【０００７】
本開示における第２の検査方法は、右眼用画像と左眼用画像との間に視差が与えられた複数の画像を画面に表示する両眼立体視検査方法であって、画面に第１画像および第２画像を表示する。第１画像および第２画像は、それぞれ第１形状および第１形状と間隔をあけて表示される第２形状を含む。第２形状の少なくとも一部は、画面において第１形状の上方に表示される。第１画像は、画面において、第１形状が第２形状より手前に見えるように表示される。第２画像は、画面において、第１形状が第２形状と並んで見えるように表示される。
【０００８】
本開示における第３の検査方法は、右眼用画像と左眼用画像との間に視差が与えられた複数の画像を画面に表示する両眼立体視検査方法であって、画面に第１画像および第２画像を表示する。第１画像および第２画像は、それぞれ第１形状および第１形状と間隔をあけて表示される第２形状を含む。第２形状の少なくとも一部は、画面において第１形状の上方に表示される。第１画像は、画面において、第１形状が第２形状より奥に見えるように表示される。第２画像は、画面において、第１形状が第２形状と並んで見えるように表示される。
【発明の効果】
【０００９】
本開示は、片眼の視力低下の簡易な検出に有効である。
【図面の簡単な説明】
【００１０】
【図１】両眼立体視検査装置の概要を示す図である。
【図２】画像生成装置の概要を示す図である。
【図３】第１の検査用画像を示す図である。
【図４】第２の検査用画像を示す図である。
【図５】第３の検査用画像を示す図である。
【図６】第４の検査用画像を示す図である。
【図７】第５の検査用画像を示す図である。
【発明を実施するための形態】
【００１１】
以下に、実施の形態が詳細に説明される。実施の形態の説明には、適宜図面が参照される。但し、必要以上に詳細な説明は、省略される場合がある。例えば、既によく知られた事項の詳細な説明や、実質的に同一の構成についての重複した説明は、省略される場合がある。説明が冗長になることを避け、当業者の理解を容易にするためである。
【００１２】
なお、発明者らは、当業者が本開示を十分に理解するために添付図面および以下の説明を提供する。発明者らは、特許請求の範囲に記載された主題が本開示によって限定されることを意図しない。
【００１３】
（実施の形態）
［１．両眼立体視検査装置１の構成］
図１に示されるように、本実施の形態にかかる両眼立体視検査装置１は、一例として、画像生成装置２、表示装置３、画像生成装置２と表示装置３を接続するケーブル４を含む。しかし、画像生成装置２と表示装置３が無線通信により接続される場合は、ケーブル４は用いられなくてもよい。また、両眼立体視検査装置１は、画像生成装置２が表示装置３に内蔵される構成であってもよい。
【００１４】
［１−１．画像生成装置２］
図２に示されるように、画像生成装置２は、入力インターフェイス２１、中央演算装置２２、記憶装置２３、画像データ処理装置２４、出力インターフェイス２５を備える。
【００１５】
入力インターフェイス２１は、図示しない入力装置からの指示を受けて、中央演算装置２２に指示を送る。入力装置には、リモートコントローラー、キーボード、マウス等が用いられる。入力インターフェイス２１と入力装置との間は、有線あるいは無線により接続される。
【００１６】
中央演算装置２２は、画像生成装置２全体の制御を行う。記憶装置２３はプログラム、画像データ等を記憶する。記憶装置２３には、ハードディスク、フラッシュメモリ等が用いられる。中央演算装置２２は、記憶装置２３に記憶された画像データを読み出して画像データ処理装置２４に送る。画像データ処理装置２４は、送られた画像データを検査用画像に変換する処理を行う。変換処理された検査用画像は、出力インターフェイス２５に送られる。出力インターフェイス２５は、ケーブル４を介して検査用画像を表示装置３に送る。
【００１７】
［１−２．表示装置３］
表示装置３は、画面５に検査用画像などを表示する。本実施の形態にかかる表示装置３は、一例として、フレームシーケンシャル方式で立体画像を表示可能な液晶表示装置である。フレームシーケンシャル方式は、時間分割で右眼用画像と左眼用画像を交互に表示する方式である。被験者は液晶シャッター眼鏡（図示せず）を装着する。表示装置３は、右眼用画像と左眼用画像を、短い間隔で交互に表示する。液晶シャッター眼鏡は、表示装置３とタイミングを合わせて、表示装置３が右眼用画像を表示しているときは、左眼の液晶シャッターを閉じる。表示装置３が左眼用画像を表示しているときは右眼用の液晶シャッターを閉じる。右眼用画像と左眼用画像は６０回／秒で繰り返される。したがって、被験者の右眼には右眼用画像のみが見える。被験者の左眼には左眼用画像のみが見える。右眼用画像と左眼用画像は、被験者の脳内で奥行きがある立体画像に合成される。
【００１８】
なお、表示装置３に立体画像を表示するために、空間分割方式も用いられうる。空間分割方式としては、一例として、偏光方式がある。偏光方式の場合、被験者は偏光眼鏡（図示せず）を装着する。偏光眼鏡の右眼部分は、右眼用偏光フィルタが貼付されている。左眼部分は左眼用偏光フィルタが貼付されている。直線偏光により画像を表示する場合、右眼用偏光フィルタと左眼用偏光フィルタはそれぞれの吸収軸が直交する。表示装置３は、例えば、１水平ライン毎に偏光方向を変える偏光フィルタを備えている。よって１コマで右眼用偏光フィルタと同じ偏光方向の右眼用画像と、左眼用偏光フィルタと同じ偏光方向の左眼用画像が表示される。したがって、被験者の右眼には右眼用画像のみが見える。被験者の左眼には左眼用画像のみが見える。右眼用画像と左眼用画像は、被験者の脳内で奥行きがある立体画像に合成される。
【００１９】
［２．両眼立体視検査用画像］
視力検査には、平仮名やランドルト環が描かれた視力検査表が用いられることがある。両眼立体視検査には、偏光フィルタ等を用いてカードに描かれた複数の図形について立体視が可能かどうかを検査するステレオフライテストなどがある。しかし、これらは、特に乳幼児に対して必ずしも有効でない場合がある。つまり、乳幼児が検査の目的や意味を理解できない場合に、有効な検査にならない可能性がある。
【００２０】
一方、「遠視・乱視などの屈折異常」により、片眼の視機能の発達がとまっている状態は、改善が可能とされている。視機能の改善は、視機能の発達が完成する６歳頃までに完了させることが好ましい。例えば「眼鏡をかけて、網膜にピントのあった鮮明な像を映す」ことで、最大矯正視力が向上する。それによって視機能の改善が期待できるとされている。したがって、できるだけ早期に有効な検査を実施することが好ましい。
【００２１】
［２−１．第１の検査用画像の構成］
図３に示されるように、第１の検査用画像は、左眼用画像と右眼用画像から構成される。図３における破線は、説明の便宜のため用いられている。よって、被験者が見る検査用画像には、破線は表示されない。
【００２２】
左眼用画像は、第１画像１０１と第２画像２０１を有する。右眼用画像は、第１画像１０２と第２画像２０２を有する。第１画像１０１、１０２は、一例として、犬１１と犬小屋１２から構成される。犬小屋１２は、犬１１の両側および上方に犬１１と間隔を空けて表示される。第２画像２０１、２０２は、第１画像と同様に、犬１１と犬小屋１２から構成される。さらに、第１の検査用画像は背景画像１４を含む。背景画像１４は、一例として、地面である。背景画像１４は、犬１１と犬小屋１２の間から見えるように表示される。
【００２３】
左眼用画像における第１画像１０１と第２画像２０１は同じ構成である。つまり、第１画像１０１と第２画像２０１における、犬１１と犬小屋１２の位置関係は同じである。また、犬１１と犬小屋１２は、水平方向の同じ水準に設けられている。
【００２４】
一方、右眼用画像における第１画像１０２と第２画像２０２は異なる構成である。左眼用画像と右眼用画像は所定の視差が設けられている。
【００２５】
［２−１−１．第１画像１０１、１０２］
右眼用画像の第１画像１０２における犬１１は、左眼用画像の第１画像１０１における犬１１の位置から水平方向右側にずれて設けられている。ずれの距離はＤｄ１で表される。右眼用画像の第１画像１０２における犬小屋１２は、左眼用画像の第１画像１０１における犬小屋１２の位置から水平方向右側にずれて設けられている。ずれの距離はＤｈ１で表される。第１画像１０１、１０２において、Ｄｈ１はＤｄ１より大きい。
【００２６】
［２−１−２．第２画像２０１、２０２］
右眼用画像の第２画像２０２における犬１１は、左眼用画像の第２画像２０１における犬１１の位置から水平方向右側にずれて設けられている。ずれの距離はＤｄ２で表される。右眼用画像の第２画像２０２における犬小屋１２は、左眼用画像の第２画像２０１における犬小屋１２から水平方向右側にずれて設けられている。ずれの距離はＤｈ２で表される。第２画像２０１、２０２において、Ｄｈ２はＤｄ２より小さい。
【００２７】
［２―１−３．両眼での見え方］
第１画像１０１、１０２の犬１１は、第１画像１０１、１０２の犬小屋１２より手前にいるように見える。犬小屋１２に与えられた視差（Ｄｈ１）より犬１１に与えられた視差（Ｄｄ１）の方が小さいからである。
【００２８】
第２画像２０１、２０２の犬１１は、第２画像２０１、２０２の犬小屋１２より奥にいるように見える。犬小屋１２に与えられた視差（Ｄｈ２）より犬１１に与えられた視差（Ｄｄ２）の方が小さいからである。
【００２９】
したがって、被験者は、右眼用画像と左眼用画像のそれぞれを視認することができるならば、被験者の脳内で一つの画像として合成できる。したがって、被験者は、犬小屋１２と犬１１の奥行き方向の位置関係の違いを把握できる。一方、被験者が右眼用画像あるいは左眼用画像のどちらかの画像を視認することができない場合、犬小屋１２と犬１１の奥行き方向の位置関係の違いを把握できない。よって、本実施の形態にかかる両眼検査方法は、被験者が複数の画像の奥行感に違いがあるように見えるか否かだけを示すことによって、有効な検査になり得る。
【００３０】
［２―１−４．第１の検査用画像を用いる両眼立体視検査方法］
本実施の形態は、右眼用画像と左眼用画像との間に視差が与えられた複数の画像を画面に表示する両眼立体視検査方法を開示する。画面５に第１画像１０１、１０２および第２画像２０１、２０２が表示される。第１画像１０１、１０２および第２画像２０１、２０２は、それぞれ第１形状である犬１１および犬１１と間隔をあけて表示される第２形状である犬小屋１２を含む。犬小屋１２は、画面５において犬１１の少なくとも上方に表示される。第１画像１０１、１０２は、画面５において、犬１１が犬小屋１２より手前に見えるように表示される。第２画像２０１、２０２は、画面５において、犬１１が犬小屋１２より奥に見えるように表示される。
【００３１】
［２−２．第２の検査用画像の構成］
図４に示されるように、第２の検査用画像は、左眼用画像と右眼用画像から構成される。図４における破線は、説明の便宜のため用いられている。よって、被験者が見る検査用画像には、破線は表示されない。
【００３２】
左眼用画像は、第１画像１０１と第２画像２０１を有する。右眼用画像は、第１画像１０２と第２画像２０３を有する。第１画像１０１、１０２は、一例として、犬１１と犬小屋１２から構成される。犬小屋１２は、犬１１の両側および上方に犬１１と間隔を空けて表示される。第２画像２０１、２０３は、第１画像と同様に、犬１１と犬小屋１２から構成される。さらに、第１の検査用画像は背景画像１４を含む。背景画像１４は、一例として、地面である。背景画像１４は、犬１１と犬小屋１２の間から見えるように表示される。
【００３３】
左眼用画像における第１画像１０１と第２画像２０１は同じ構成である。つまり、第１画像１０１と第２画像２０１における、犬１１と犬小屋１２の位置関係は同じである。また、犬１１と犬小屋１２は、水平方向の同じ水準に設けられている。
【００３４】
一方、右眼用画像における第１画像１０２と第２画像２０３は異なる構成である。左眼用画像と右眼用画像は所定の視差が設けられている。
【００３５】
［２−２−１．第１画像１０１、１０２］
右眼用画像の第１画像１０２における犬１１は、左眼用画像の第１画像１０１における犬１１の位置から水平方向右側にずれて設けられている。ずれの距離はＤｄ１で表される。右眼用画像の第１画像１０２における犬小屋１２は、左眼用画像の第１画像１０１における犬小屋１２の位置から水平方向右側にずれて設けられている。ずれの距離はＤｈ１で表される。第１画像１０１、１０２において、Ｄｈ１はＤｄ１より大きい。
【００３６】
［２−２−２．第２画像２０１、２０３］
右眼用画像の第２画像２０２における犬１１は、左眼用画像の第２画像２０１における犬１１の位置から水平方向右側にずれて設けられている。ずれの距離はＤｄ２で表される。右眼用画像の第２画像２０２における犬小屋１２は、左眼用画像の第２画像２０１における犬小屋１２から水平方向右側にずれて設けられている。ずれの距離はＤｈ２で表される。第２画像２０１、２０３において、Ｄｈ２はＤｄ２と等しい。
【００３７】
［２―２−３．両眼での見え方］
第１画像１０１、１０２の犬１１は、第１画像１０１、１０２の犬小屋１２より手前にいるように見える。犬小屋１２に与えられた視差（Ｄｈ１）より犬１１に与えられた視差（Ｄｄ１）の方が小さいからである。
【００３８】
第２画像２０１、２０３の犬１１は、第２画像２０１、２０３の犬小屋１２の中にいるように見える。つまり、犬１１と犬小屋１２は並んでいるように見える。犬小屋１２に与えられた視差（Ｄｈ２）と犬１１に与えられた視差（Ｄｄ２）が等しいからである。
【００３９】
したがって、被験者は、右眼用画像と左眼用画像のそれぞれを視認することができるならば、被験者の脳内で一つの画像として合成できる。したがって、被験者は、犬小屋１２と犬１１の奥行き方向の位置関係の違いを把握できる。一方、被験者が右眼用画像あるいは左眼用画像のどちらかの画像を視認することができない場合、犬小屋１２と犬１１の奥行き方向の位置関係の違いを把握できない。よって、本実施の形態にかかる両眼検査方法は、被験者が複数の画像の奥行感に違いがあるように見えるか否かだけを示すことによって、有効な検査になり得る。
【００４０】
［２―２−４．第２の検査用画像を用いる両眼立体視検査方法］
本実施の形態は、右眼用画像と左眼用画像との間に視差が与えられた複数の画像を画面に表示する両眼立体視検査方法を開示する。画面５に第１画像１０１、１０２および第２画像２０１、２０３が表示される。第１画像１０１、１０２および第２画像２０１、２０３は、それぞれ第１形状である犬１１および犬１１と間隔をあけて表示される第２形状である犬小屋１２を含む。犬小屋１２は、画面５において犬１１の少なくとも上方に表示される。第１画像１０１、１０２は、画面５において、犬１１が犬小屋１２より手前に見えるように表示される。第２画像２０１、２０３は、画面５において、犬１１が犬小屋１２と並んで見えるように表示される。
【００４１】
［２−３．第３の検査用画像の構成］
図５に示されるように、第３の検査用画像は、左眼用画像と右眼用画像から構成される。図５における破線は、説明の便宜のため用いられている。よって、被験者が見る検査用画像には、破線は表示されない。
【００４２】
左眼用画像は、第１画像１０１と第２画像２０１を有する。右眼用画像は、第１画像１０３と第２画像２０３を有する。第１画像１０１、１０３は、一例として、犬１１と犬小屋１２から構成される。犬小屋１２は、犬１１の両側および上方に犬１１と間隔を空けて表示される。第２画像２０１、２０３は、第１画像と同様に、犬１１と犬小屋１２から構成される。さらに、第１の検査用画像は背景画像１４を含む。背景画像１４は、一例として、地面である。背景画像１４は、犬１１と犬小屋１２の間から見えるように表示される。
【００４３】
左眼用画像における第１画像１０１と第２画像２０１は同じ構成である。つまり、第１画像１０１と第２画像２０１における、犬１１と犬小屋１２の位置関係は同じである。また、犬１１と犬小屋１２は、水平方向の同じ水準に設けられている。
【００４４】
一方、右眼用画像における第１画像１０３と第２画像２０３は異なる構成である。左眼用画像と右眼用画像は所定の視差が設けられている。
【００４５】
［２−３−１．第１画像１０１、１０３］
右眼用画像の第１画像１０２における犬１１は、左眼用画像の第１画像１０１における犬１１の位置から水平方向右側にずれて設けられている。ずれの距離はＤｄ１で表される。右眼用画像の第１画像１０２における犬小屋１２は、左眼用画像の第１画像１０１における犬小屋１２の位置から水平方向右側にずれて設けられている。ずれの距離はＤｈ１で表される。第１画像１０１、１０２において、Ｄｈ１はＤｄ１より小さい。
【００４６】
［２−３−２．第２画像２０１、２０３］
右眼用画像の第２画像２０２における犬１１は、左眼用画像の第２画像２０１における犬１１の位置から水平方向右側にずれて設けられている。ずれの距離はＤｄ２で表される。右眼用画像の第２画像２０２における犬小屋１２は、左眼用画像の第２画像２０１における犬小屋１２から水平方向右側にずれて設けられている。ずれの距離はＤｈ２で表される。第２画像２０１、２０３において、Ｄｈ２はＤｄ２と等しい。
【００４７】
［２―３−３．両眼での見え方］
第１画像１０１、１０３の犬１１は、第１画像１０１、１０３の犬小屋１２より奥にいるように見える。犬小屋１２に与えられた視差（Ｄｈ１）より犬１１に与えられた視差（Ｄｄ１）の方が大きいからである。
【００４８】
第２画像２０１、２０３の犬１１は、第２画像２０１、２０３の犬小屋１２の中にいるように見える。つまり、犬１１と犬小屋１２は並んでいるように見える。犬小屋１２に与えられた視差（Ｄｈ２）と犬１１に与えられた視差（Ｄｄ２）が等しいからである。
【００４９】
したがって、被験者が右眼用画像と左眼用画像のそれぞれを視認することができるならば、被験者の脳内で一つの画像として合成できる。したがって、被験者は、犬小屋１２と犬１１の奥行き方向の位置関係の違いを把握できる。一方、被験者が右眼用画像あるいは左眼用画像のどちらかの画像を視認することができない場合、犬小屋１２と犬１１の奥行き方向の位置関係の違いを把握できない。よって、本実施の形態にかかる両眼検査方法は、被験者が複数の画像の奥行感に違いがあるように見えるか否かだけを示すことによって、有効な検査になり得る。
【００５０】
［２―３−４．第３の検査用画像を用いる両眼立体視検査方法］
本実施の形態は、右眼用画像と左眼用画像との間に視差が与えられた複数の画像を画面に表示する両眼立体視検査方法を開示する。画面５に第１画像１０１、１０３および第２画像２０１、２０３が表示される。第１画像１０１、１０３および第２画像２０１、２０３は、それぞれ第１形状である犬１１および犬１１と間隔をあけて表示される第２形状である犬小屋１２を含む。犬小屋１２は、画面５において犬１１の少なくとも上方に表示される。第１画像１０１、１０３は、画面５において、犬１１が犬小屋１２より奥に見えるように表示される。第２画像２０１、２０３は、画面５において、犬１１が犬小屋１２と並んで見えるように表示される。
【００５１】
［２−４．第４の検査用画像の構成］
図６に示されるように、第４の検査用画像は、左眼用画像と右眼用画像から構成される。図６における破線は、説明の便宜のため用いられている。よって、被験者が見る検査用画像には、破線は表示されない。
【００５２】
左眼用画像は、第１画像１０１、第２画像２０１および第３画像３０１を有する。右眼用画像は、第１画像１０２、第２画像２０２および第３画像３０２を有する。第１画像１０１、１０２は、一例として、犬１１と犬小屋１２から構成される。犬小屋１２は、犬１１の両側および上方に犬１１と間隔を空けて表示される。第２画像２０１、２０２は、第１画像と同様に、犬１１と犬小屋１２から構成される。第３画像３０１、３０２は、第１画像と同様に、犬１１と犬小屋１２から構成される。さらに、第４の検査用画像は背景画像１４を含む。背景画像１４は、一例として、地面である。背景画像１４は、犬１１と犬小屋１２の間から見えるように表示される。
【００５３】
左眼用画像における第１画像１０１、第２画像２０１および第３画像３０１は同じ構成である。つまり、第１画像１０１、第２画像２０１および第３画像３０１における、犬１１と犬小屋１２の位置関係は同じである。また、犬１１と犬小屋１２は、水平方向の同じ水準に設けられている。右眼用画像における第１画像１０２、第２画像２０２および第３画像３０２は異なる構成である。左眼用画像と右眼用画像は所定の視差が設けられている。
【００５４】
［２−４−１．第１画像１０１、１０２］
右眼用画像の第１画像１０２における犬１１は、左眼用画像の第１画像１０１における犬１１の位置から水平方向右側にずれて設けられている。ずれの距離はＤｄ１で表される。右眼用画像の第１画像１０２における犬小屋１２は、左眼用画像の第１画像１０１における犬小屋１２の位置から水平方向右側にずれて設けられている。ずれの距離はＤｈ１で表される。第１画像１０１、１０２において、Ｄｈ１はＤｄ１より大きい。
【００５５】
［２−４−２．第２画像２０１、２０３］
右眼用画像の第２画像２０２における犬１１は、左眼用画像の第２画像２０１における犬１１の位置から水平方向右側にずれて設けられている。ずれの距離はＤｄ２で表される。右眼用画像の第２画像２０２における犬小屋１２は、左眼用画像の第２画像２０１における犬小屋１２の位置から水平方向右側にずれて設けられている。ずれの距離はＤｈ２で表される。第２画像２０１、２０３において、Ｄｈ２はＤｄ２より小さい。
【００５６】
［２−４−３．第３画像３０１、３０２］
右眼用画像の第３画像３０２における犬１１は、左眼用画像の第３画像３０１における犬１１の位置から水平方向右側にずれて設けられている。ずれの距離はＤｄ３で表される。右眼用画像の第３画像３０２における犬小屋１２は、左眼用画像の第３画像３０１における犬小屋１２の位置から水平方向右側にずれて設けられている。ずれの距離はＤｈ３で表される。第３画像３０１、３０２において、Ｄｈ３はＤｄ３と等しい。
【００５７】
［２―４−４．両眼での見え方］
第１画像１０１、１０２の犬１１は、第１画像１０１、１０２の犬小屋１２より手前にいるように見える。犬小屋１２に与えられた視差（Ｄｈ１）より犬１１に与えられた視差（Ｄｄ１）の方が小さいからである。
【００５８】
第２画像２０１、２０２の犬１１は、第２画像２０１、２０２の犬小屋１２より奥にいるように見える。犬小屋１２に与えられた視差（Ｄｈ２）より犬１１に与えられた視差（Ｄｄ２）の方が小さいからである。
【００５９】
第３画像３０１、３０２の犬１１は、第３画像３０１、３０２の犬小屋１２の中にいるように見える。つまり、犬１１と犬小屋１２は並んでいるように見える。犬小屋１２に与えられた視差（Ｄｈ３）と犬１１に与えられた視差（Ｄｄ３）が等しいからである。
【００６０】
したがって、第４の検査用画像を両眼立体視検査方法に用いることができる。
【００６１】
［２―４−５．第４の検査用画像を用いる両眼立体視検査方法］
本実施の形態は、右眼用画像と左眼用画像との間に視差が与えられた複数の画像を画面に表示する両眼立体視検査方法を開示する。画面５に第１画像１０１、１０２および第２画像２０１、２０２が表示される。第１画像１０１、１０２および第２画像２０１、２０２は、それぞれ第１形状である犬１１および犬１１と間隔をあけて表示される第２形状である犬小屋１２を含む。犬小屋１２は、画面５において犬１１の少なくとも上方に表示される。第１画像１０１、１０２は、画面５において、犬１１が犬小屋１２より手前に見えるように表示される。第２画像２０１、２０２は、画面５において、犬１１が犬小屋１２より奥に見えるように表示される。第３画像３０１、３０２は、画面５において、犬１１が犬小屋１２と並んで見えるように表示される。
【００６２】
［２−５．第５の検査用画像の構成］
本実施の形態にかかる検査用画像は、犬１１と犬小屋１２の組み合わせに限られない。一例として、図７に示されるように、犬１１と樹木１３の組み合わせも用いられ得る。
【００６３】
図７に示されるように、第５の検査用画像は、左眼用画像と右眼用画像から構成される。図７における破線は、説明の便宜のため用いられている。よって、被験者が見る検査用画像には、破線は表示されない。
【００６４】
左眼用画像は、第１画像４０１と第２画像５０１を有する。右眼用画像は、第１画像４０２と第２画像５０２を有する。第１画像４０１、４０２は、一例として、犬１１と樹木１３から構成される。樹木１３は、一例として、犬１１の左側および上方に犬１１と間隔を空けて表示される。第２画像５０１、５０２は、第１画像と同様に、犬１１と樹木１３から構成される。さらに、第１の検査用画像は背景画像１４を含む。背景画像１４は、一例として、地面である。背景画像１４は、犬１１と樹木１３の間から見えるように表示される。
【００６５】
左眼用画像における第１画像４０１と第２画像５０１は同じ構成である。つまり、第１画像４０１と第２画像５０１における、犬１１と樹木１３の位置関係は同じである。また、犬１１と樹木１３は、水平方向の同じ水準に設けられている。
【００６６】
一方、右眼用画像における第１画像４０２と第２画像５０２は異なる構成である。左眼用画像と右眼用画像は所定の視差が設けられている。
【００６７】
［２−５−１．第１画像４０１、４０２］
右眼用画像の第１画像４０２における犬１１は、左眼用画像の第１画像４０１における犬１１の位置から水平方向右側にずれて設けられている。ずれの距離はＤｄ１で表される。右眼用画像の第１画像４０２における樹木１３は、左眼用画像の第１画像４０２における樹木１３の位置から水平方向右側にずれて設けられている。ずれの距離はＤｔ１で表される。第１画像４０１、４０２において、Ｄｔ１はＤｄ１より大きい。
【００６８】
［２−５−２．第２画像５０１、５０２］
右眼用画像の第２画像５０２における犬１１は、左眼用画像の第２画像５０１における犬１１から水平方向右側にずれて設けられている。ずれの距離はＤｄ２で表される。右眼用画像の第２画像５０２における樹木１３は、左眼用画像の第２画像５０１における樹木１３から水平方向右側にずれて設けられている。ずれの距離はＤｔ２で表される。第２画像５０１、５０２において、Ｄｔ２はＤｄ２より小さい。
【００６９】
［２―５−３．両眼での見え方］
第１画像４０１、４０２の犬１１は、第１画像４０１、４０２の樹木１３より手前にいるように見える。樹木１３に与えられた視差（Ｄｔ１）より犬１１に与えられた視差（Ｄｄ１）の方が小さいからである。
【００７０】
第２画像５０１、５０２の犬１１は、第２画像５０１、５０２の樹木１３より奥にいるように見える。樹木１３に与えられた視差（Ｄｔ２）より犬１１に与えられた視差（Ｄｄ２）の方が小さいからである。
【００７１】
［３．両眼立体視検査装置１の構成］
本開示における両眼立体視検査装置１は、画像生成装置２と表示装置３備える。画像生成装置２は、中央演算装置２２と記憶装置２３を有する。中央演算装置２２は、画像生成装置２を制御する。記憶装置２３は、検査用画像データを記憶する。表示装置３は、検査用画像を表示する画面５を有する。検査用画像は、例えば、第１の検査用画像である。つまり、検査用画像は、第１画像１０１、１０２および第２画像２０１、２０２を有する。第１画像１０１、１０２および第２画像２０１、２０２は、それぞれ第１形状である犬１１および犬１１と間隔をあけて表示される第２形状である犬小屋１２を含む。犬小屋１２は、画面５において犬１１の少なくとも上方に表示される。第１画像１０１、１０２は、画面５において、犬１１が犬小屋１２より手前に見えるように表示される。第２画像２０１、２０２は、画面５において、犬１１が犬小屋１２より奥に見えるように表示される。つまり、両眼立体視検査装置１は、第１の検査用画像を表示する。
【００７２】
本構成による検査装置は、被験者が複数の画像の奥行感に違いがあるように見えるか否かだけを示すことによって簡易な両眼立体視検査が可能になる。
【００７３】
なお、両眼立体視検査装置１が画面５に表示する検査用画像には、第１の検査用画像の他にも、第２の検査用画像から第５の検査用画像のいずれかを用いてもよい。
【００７４】
［４．検査用画像についての付記］
被験者にとって、視差以外の要素が異なっていると、奥行感の知覚に影響を与える可能性がある。
【００７５】
本実施の形態では、第１画像〜第３画像における第１形状（犬１１）は形状および大きさが同一である例が示された。これは、上記の観点から、好ましい形態である。しかし、奥行感の知覚に影響を与えない範囲内で、形状や大きさが異なってもよい。第２形状（犬小屋１２または樹木１３）についても同様である。
【００７６】
本実施の形態では、第１画像〜第３画像における第１形状と第２形状が水平方向の同じ水準に設けられている。これは上記の観点から、好ましい形態である。しかし、奥行感の知覚に影響を与えない範囲内で、設けられる位置が変わっても良い。
【００７７】
本実施の形態では、第２形状の少なくとも一部は、画面において第１形状の上方に表示される。これは、被験者が、第１形状と第２形状の相対的位置関係を知覚することを容易にする。
【００７８】
なお、第１形状と第２形状が重なって見えると、被験者はその情報から第１形状と第２形状の相対的位置関係を知覚する場合がある。よって、本実施の形態においては、第２形状は第１形状と間隔を空けて表示される。しかし、「間隔を空けて」とは、第１形状と第２形状がまったく接触していないことを意味しない。つまり、被験者による第１形状と第２形状の相対的位置関係の知覚に影響を与えない範囲で第１形状の一部と第２形状の一部が接していてもよい。一例として、犬１１の尻尾の一部が、犬小屋１２の壁と接していてもよい。他の例として、犬１１の頭部の一部が、樹木１３の枝葉と接していてもよい。
【００７９】
また、上述の第１の検査用画像〜第５の検査用画像は、背景画像１４を含まなくても良い。しかし、検査用画像が背景画像１４を含まないと、被験者には犬１１が空間に浮かんでいるように見える可能性がある。犬１１が空間に浮かんでいるように見えると、犬小屋１２との奥行感の違いを認識しづらくなる可能性がある。よって、検査用画像は、背景画像１４を含むことがより好ましい。さらに、背景画像１４は、無彩色が好ましい。色は幾何学的空間認識で捉えていると考えられている人間の奥行き感覚の判断に影響を与える場合がある。無彩色は、有彩色より奥にあるように見えやすいらである。よって、被験者が、第１形状と第２形状の相対的位置関係を知覚することをより容易にする。
【００８０】
さらに、背景画像１４は、第１形状および第２形状の背景全体に設けられても良い。その場合、背景画像１４は、複数の画像を含むことが好ましい。複数の画像の境界が第１形状と第２形状の間から見えるように表示されることがより好ましい。より詳細には、紙面に向かって下方の画像が無彩色で表示され、紙面に向かって上方の画像が寒色で表示されることが好ましい。被験者にとって、暖色は手前に飛び出すように見えやすい。一方、寒色は奥に引っ込むように見えやすいと考えられている。この構成によると被験者は、背景画像１４に、より奥行感を持つ。よって、被験者が、第１形状と第２形状の相対的位置関係を知覚することをより容易にする。
【００８１】
以上のように、本開示における技術の例示として、実施の形態が説明された。そのために、添付図面および詳細な説明が提供された。
【００８２】
したがって、添付図面および詳細な説明に記載された構成要素の中には、課題解決のためには必須でない構成要素も含まれ得る。上記技術を例示するためである。よって、必須ではない構成要素が添付図面や詳細な説明に記載されていることをもって、直ちに、それらの必須ではない構成要素が必須であるとの認定をするべきではない。
【００８３】
また、上述の実施の形態は、本開示における技術を例示するためのものである。よって、特許請求の範囲またはその均等の範囲において種々の変更、置き換え、付加、省略などを行うことができる。
【産業上の利用可能性】
【００８４】
本開示の技術は、両眼立体視検査などに有用である。
【符号の説明】
【００８５】
１    両眼立体視検査装置
２    画像生成装置
３    表示装置
４    ケーブル
５    画面
１１    犬
１２    犬小屋
１３    樹木
１４    背景画像
２１    入力インターフェイス
２２    中央演算装置
２３    記憶装置
２４    画像データ処理装置
２５    出力インターフェイス
１０１，１０２，１０３，４０１，４０２    第１画像
２０１，２０２，２０３，５０１，５０２    第２画像
３０１，３０２    第３画像
【図１】
2014226180.tif 000003
【図２】
2014226180.tif 000004
【図３】
2014226180.tif 000005
【図４】
2014226180.tif 000006
【図５】
2014226180.tif 000007
【図６】
2014226180.tif 000008
【図７】
2014226180.tif 000009